(57)【要約】【課題】注出性能に優れ、しかも、外観が損なわれることのないスパウト付きパウチ容器を提供する。【解決手段】パウチ１０の上縁にスパウト２０が取り付けられている。パウチ１０は、表裏一対の外装シート１１、１２と、この外装シート１１、１２の下端部において両者の間に折り込まれるガセットシート１３とから構成されており、外装シート１１、１２の上縁部及び両側縁部が相互にヒートシールされると共に、外装シート１１、１２間に折り込まれたガセットシート１３の周縁を外装シート１１、１２の内面にヒートシールすることによって袋状に形成されている。パウチ１０には、スパウト２０の流入口付近に、外装シート１１、１２をヒートシールすることで、液体内容物をスパウト２０の流入口に案内する、下方側に向かって「ハ」字状に広がった、上縁シール部ＵＳ及び側縁シール部ＳＳに繋がっていない一対のガイドシール部ＧＳが形成されている。【選択図】        図１
2012201385.tif 000002
【特許請求の範囲】
【請求項１】
表裏一対の外装シートの上縁同士及び両側縁同士がヒートシールされた上縁シール部及び側縁シール部を有するパウチと、
前記パウチを形成している表裏一対の外装シートの上縁に挟み込まれた状態で、前記外装シートの上縁にヒートシールされるスパウトと
を備えたスパウト付きパウチ容器において、
前記パウチ内における前記スパウトの流入口付近に、表裏一対の前記外装シートをヒートシールすることで、液体内容物を前記スパウトの流入口に案内する一対のガイドシール部を設け、
一対の前記ガイドシール部は、下方側に向かって両者の間隔が広がっており、
それぞれの前記ガイドシール部は、前記上縁シール部及び前記側縁シール部に繋がっていないことを特徴とするスパウト付きパウチ容器。
【発明の詳細な説明】
【技術分野】
【０００１】
この発明は、例えば、ボトル容器に詰め替えるためのシャンプー、リンスや柔軟剤等の液体商品を充填するスパウト付きパウチ容器に関する。
【背景技術】
【０００２】
この種のスパウト付きパウチ容器としては、図５に示すようなものがある。このスパウト付きパウチ容器５０は、同図に示すように、表裏一対の外装シート５１ａの下端部からガセットシート５１ｂが内側に折り込まれ、そのガセットシート５１ｂの周縁部が外装シート５１ａにヒートシールされると共に外装シート５１ａの上縁部及び両側縁部が相互にヒートシールされることによって袋状に形成されたパウチ５１と、このパウチ５１を形成している表裏一対の外装シート５１ａの上縁に挟み込んだ状態で、表裏一対の外装シート５１ａの上縁にヒートシールされるスパウト５２とから構成されている。
【０００３】
ところで、パウチ５１が大容量の場合、内容物である液体商品を短時間でボトル容器等に移し替えることができるように、スパウト５２からの液体内容物の注出速度を上げることが望まれており、具体的には、図６に示すように、液体内容物をスパウトの流入口に案内する、パウチ５１の上縁シール部ＵＳにおけるスパウト５２の両側から略４５度でパウチ５１の側縁シール部ＳＳに至る左右一対のガイドシール部ＧＳを設けることによって、注出性能を向上させている。
【先行技術文献】
【特許文献】
【０００４】
【特許文献１】実開平０５−００７６４１号公報
【発明の概要】
【発明が解決しようとする課題】
【０００５】
しかしながら、上述したように、パウチ５１の上縁シール部ＵＳにおけるスパウト５２の両側から略４５度でパウチ５１の側縁シール部ＳＳに至る左右一対のガイドシール部ＧＳを設けると、パウチ５１の上部の剛性が高くなるので、液体商品を充填して載置すると、図７に示すように、ガイドシール部ＧＳの下端部付近において、パウチ５１の胴部が幅方向内側にくびれてしまい、パウチ５１の表面に印刷されている表示が見にくくなると共に、外観が損なわれるといった問題がある。
【０００６】
そこで、この発明の課題は、注出性能に優れ、しかも、外観が損なわれることのないスパウト付きパウチ容器を提供することにある。
【課題を解決するための手段】
【０００７】
上記の課題を解決するため、請求項１に係る発明は、表裏一対の外装シートの上縁同士及び両側縁同士がヒートシールされた上縁シール部及び側縁シール部を有するパウチと、前記パウチを形成している表裏一対の外装シートの上縁に挟み込まれた状態で、前記外装シートの上縁にヒートシールされるスパウトとを備えたスパウト付きパウチ容器において、前記パウチ内における前記スパウトの流入口付近に、表裏一対の前記外装シートをヒートシールすることで、液体内容物を前記スパウトの流入口に案内する一対のガイドシール部を設け、一対の前記ガイドシール部は、下方側に向かって両者の間隔が広がっており、それぞれの前記ガイドシール部は、前記上縁シール部及び前記側縁シール部に繋がっていないことを特徴とするスパウト付きパウチ容器を提供するものである。
【発明の効果】
【０００８】
以上のように、請求項１に係る発明のスパウト付きパウチ容器は、パウチ内におけるスパウトの流入口付近に、液体内容物をスパウトの流入口に案内する、下方側に向かって間隔が広がった一対のガイドシール部が設けられているので、良好な注出性能を確保することができると共に、一対のガイドシール部が上縁シール部及び側縁シール部に繋がっていないので、パウチ上部の剛性が高くなることがなく、液体内容物を充填して載置しても、パウチの胴部にくびれが発生することがない。
【図面の簡単な説明】
【０００９】
【図１】この発明に係るスパウト付きパウチ容器の一実施形態を示す正面図である。
【図２】同上のスパウト付きパウチ容器に液体内容物を充填した状態を示す斜視図である。
【図３】比較例１として詰替実験に使用したスパウト付きパウチ容器を示す部分正面図である。
【図４】比較例２として詰替実験に使用したスパウト付きパウチ容器を示す部分正面図である。
【図５】従来のスパウト付きパウチ容器を示す正面図である。
【図６】従来の他のスパウト付きパウチ容器を示す正面図である。
【図７】同上のスパウト付きパウチ容器に液体内容物を充填した状態を示す斜視図である。
【発明を実施するための形態】
【００１０】
以下、実施の形態について図面を参照して説明する。図１及び図２は、ポンプ式のボトル容器に詰め替えるためのシャンプー（以下、液体内容物という。）が充填されるスパウト付きパウチ容器１を示しており、このスパウト付きパウチ容器１は、同図に示すように、ポリエチレンやポリプロピレン等の熱接着性を有する合成樹脂フィルムの外面に、ガスバリア性シート等を積層した二軸延伸ポリアミドフィルムや二軸延伸ポリエステルフィルム等をラミネートした厚さ１００〜２００μｍ程度の柔軟性シートによって形成された、扁平状態に折り畳み可能なパウチ１０と、このパウチ１０に取り付けられる熱接着性樹脂によって形成されたスパウト２０とから構成されている。
【００１１】
前記パウチ１０は、図１に示すように、表裏一対の外装シート１１、１２と、この外装シート１１、１２の下端部において両者の間に折り込まれるガセットシート１３とから構成されており、外装シート１１、１２の上縁部及び両側縁部が相互にヒートシールされることによって胴部が形成されると共に、外装シート１１、１２間に折り込まれたガセットシート１３の周縁を外装シート１１、１２の内面にヒートシールすることによって胴部の下端開口部を閉塞するボトムガセット部が形成されている。
【００１２】
前記パウチ１０の胴部には、図１に示すように、スパウト２０の流入口付近に、表裏一対の外装シート１１、１２をヒートシールすることで、液体内容物をスパウト２０の流入口に案内する、下方側に向かって「ハ」字状に広がった一対のガイドシール部ＧＳが形成されており、それぞれのガイドシール部ＧＳは、上縁シール部ＵＳ及び側縁シール部ＳＳに繋がっていない。ここで、「流入口付近」とは、パウチ１０の全長に対して上部１／３の範囲内をいう。
【００１３】
パウチ１０の全長が２９０ｍｍ、幅長が２２０ｍｍの場合、一対のガイドシール部ＧＳは、それぞれの長さＤが３０ｍｍで、上縁シール部ＵＳに対する延出方向の角度θが４５度、上縁シール部ＵＳの下縁からの距離Ｌが２０ｍｍに設定されている。
【００１４】
前記スパウト２０は、ポリエチレンやポリプロピレン等の熱接着性樹脂の成形物からなり、図１に示すように、外装シート１１、１２の上端縁に挟み込まれた状態で外装シート１１、１２にヒートシールされる、中央部に貫通孔が形成された平面舟形状の装着部２１と、この装着部２１に連設された、パウチ１０の外側に突出する、先端に注出口を有する円筒状の口部２２と、この口部２２の注出口を開閉するスクリューキャップ２３とを備えており、円筒状の口部２２が装着部２１に形成された貫通孔を介して相互に連通した状態となっている。
【００１５】
以下、このスパウト付きパウチ容器１（実施例）、図３に示すように、一対のガイドシール部ＧＳが上縁シール部ＵＳ及び側縁シール部ＳＳに繋がっている点を除いて、上述したスパウト付きパウチ容器１と同一構成のスパウト付きパウチ容器２（比較例１）及び、図４に示すように、一対のガイドシール部が形成されていない点を除いて、上述したスパウト付きパウチ容器１と同一構成のスパウト付きパウチ容器３（比較例２）について、液体内容物の詰替実験を行い、その結果を表１に示した。
【００１６】
〔実験方法〕
液体内容物として２ｌの水道水を充填した各スパウト付きパウチ容器１、２、３を、３０度傾けた状態で注出を開始し、１．５ｌの液体内容物を注出し終わるまでの時間をそれぞれ３回づつ測定した。
【００１７】
【表１】
2012201385.tif 000003
【００１８】
以上のように、このスパウト付きパウチ容器１は、パウチ１０内におけるスパウト２０の流入口付近に、液体内容物をスパウト２０の流入口に案内する、下方側に向かって「ハ」字状に広がった一対のガイドシール部ＧＳが設けられているので、表１からも分かるように、一対のガイドシール部ＧＳが上縁シール部ＵＳ及び側縁シール部ＳＳに繋がっている比較例１のスパウト付きパウチ容器２と同等以上の注出性能を確保することができる。
【００１９】
しかも、一対のガイドシール部ＧＳが上縁シール部ＵＳ及び側縁シール部ＳＳに繋がっていないので、パウチ１０上部の剛性が高くなることがなく、図２に示すように、液体内容物を充填して載置しても、図７に示す従来のスパウト付きパウチ容器とは異なり、パウチ１０の胴部にくびれが発生することがない。従って、パウチ１０の表面に印刷されている表示が見にくくなったり、外観が損なわれたりすることがない。
【００２０】
なお、上述した実施形態では、ボトムガセットタイプのパウチ１０にスパウト２０が装着されたスパウト付きパウチ容器１について説明したが、これに限定されるものではなく、例えば、平袋のようなボトムガセットタイプ以外の種々のパウチにスパウトが装着されたスパウト付きパウチ容器について本発明を適用することができることは言うまでもない。
【産業上の利用可能性】
【００２１】
本発明は、ボトル容器に詰め替えるためのシャンプー、リンスや柔軟剤等の液体商品を充填する容器、特に、大容量の容器として利用することができる。
【符号の説明】
【００２２】
１、２、３  スパウト付きパウチ容器
１０  パウチ
１１、１２  外装シート
１３  ガセットシート
２０  スパウト
２１  装着部
２２  口部
２３  スクリューキャップ
ＵＳ  上縁シール部
ＳＳ  側縁シール部
ＧＳ  ガイドシール部
【図１】
2012201385.tif 000004
【図２】
2012201385.tif 000005
【図３】
2012201385.tif 000006
【図４】
2012201385.tif 000007
【図５】
2012201385.tif 000008
【図６】
2012201385.tif 000009
【図７】
2012201385.tif 000010